(57)【要約】  【課題】  車椅子に装着して車椅子の搭乗者がベッドへ容易に移行できるようにしたスライド座椅子を提供しようとする。  【解決手段】  前輪及び後輪と、該前輪及び後輪を支持する本体フレーム部とを有する車椅子に装着されるものであって、前記車椅子に着脱自在に取り付けられるレールと、該レールに沿って移動可能な座面部とを備え、前記レールが、ベッドと前記車椅子に架け渡される一の状態と、縮められた状態、折られた状態、分割された状態から選択される他の状態と、をとり得て、前記一の状態において前記座面部が前記レールに沿って移動するスライド座椅子である。  【選択図】  図５
2006263168.tif 000002
【特許請求の範囲】
【請求項１】
前輪及び後輪と、該前輪及び後輪を支持する本体フレーム部とを有する車椅子に装着されるものであって、前記車椅子に着脱自在に取り付けられるレールと、該レールに沿って移動可能な座面部とを備え、前記レールが、ベッドと前記車椅子に架け渡される一の状態と、縮められた状態、折られた状態、分割された状態から選択される他の状態と、をとり得て、前記一の状態において前記座面部が前記レールに沿って移動するスライド座椅子。
【請求項２】
前記レールが前記レールが固定されるベース基盤を介して前記車椅子に係止される請求項１に記載のスライド座椅子。
【請求項３】
前記ベース基盤が不使用時に折り畳み可能とされた請求項２に記載のスライド座椅子。
【請求項４】
前記レールが該レールに案内されて移動する案内部材を介して前記座面部に係合された請求項１ないし３のいずれかに記載のスライド座椅子。
【請求項５】
前記座面部が、前記レールに案内されて走行する基板と、該基板に座面と直交する軸心の回りに回動可能に支持される座面盤とを備える請求項１ないし４のいずれかに記載のスライド座椅子。
【請求項６】
選択的に使用される互いに平行な４本の前記レールを備える請求項１ないし５のいずれかに記載のスライド座椅子。
【請求項７】
前記レールが複数の要素レールを組み立てて成る請求項１ないし６のいずれかに記載のスライド座椅子。
【請求項８】
請求項１ないし７のいずれかに記載のスライド座椅子を車椅子に装着し、該車椅子との間に前記レールを架け渡すベッドであって、マットと該マットを載置するベッド基盤を備え、該レールの先端部を進入させる切欠き部が該マットの側部に形成され、該切欠き部に着脱自在に補填される補填部材を備えるベッド移行機能付きベッド。
【請求項９】
請求項１乃至７のいずれかに記載のスライド座椅子を装着可能な車椅子に取り付けられる伸縮自在なアームを含んでなり、該アームに略直角に折れ曲がる折り曲がり部が可逆的に形成可能であり、該折り曲がり部を折り曲がった状態に保持する保持手段を備えた車椅子用補助アーム。
【発明の詳細な説明】
【技術分野】
【０００１】
本発明は、車椅子に装着されて搭乗者のベッドへの移行を容易にするスライド座椅子に関する。
【背景技術】
【０００２】
車椅子の搭乗者にとってベッドへの移行は容易でない。又、多くの場合、介添えを必要とし、介添え者の介添え動作も大きな力を要することが多く、このベッドへの移行にかかわる搭乗者及び介添え者の負担を軽減することが切に望まれている。
【０００３】
この負担の軽減を目的として、ベッドの左右に補助脚立を立て、脚立横板方向に支柱を設け、この支柱に搭乗者を吊上げ、移動及び降下する機構を連結し、その支柱に巻取部、ハンガー及びシートを連結した介護補助脚立が開示されている。（例えば、特許文献１参照。）
【０００４】
この方式は在宅のベッドには適用可能であるが、病院等一般の公共施設に適用するには脚立の占有空間が過大でかつ、各ベッドごとに脚立の設置を要するという問題がある。
【０００５】
又、背もたれを倒して搭乗者を仰臥の状態にしたのち座面を９０度回転させ、車椅子をベッドに横付けして座面を含む水平支持台をベッド中央部まで移動させたのちベッドがわに傾斜させ、搭乗者を滑降させる方式が開示されている。（例えば、特許文献２参照。）
【０００６】
この方式はこのような各段階の操作を行なうための機構が複雑で車椅子のコストが過大となることと、この複雑な機構を車椅子の限られたスペースに納めることがかなり困難で車椅子の大型化と重量化が避けられない。又、仰臥の状態の搭乗者が回転するための広い空間をベッドサイドに確保する必要がある。
【０００７】
更に、従来の方式は車椅子自体を特別な仕様に作り上げるものであり、既存の車椅子に装着して使用できるものではない。
【特許文献１】特開２００３−２３０６０６号公報
【特許文献２】特開２００３−１４４４９６号公報
【発明の開示】
【発明が解決しようとする課題】
【０００８】
本発明の目的は、車椅子に装着して車椅子の搭乗者がベッドへ容易に移行できるようにしたスライド座椅子を提供することにある。
【０００９】
本発明の目的は、車椅子に装着して車椅子の搭乗者がベッドサイドの限られた空間のもとでベッドへ容易に移行できるようにしたスライド座椅子を提供することにある。
【課題を解決するための手段】
【００１０】
本発明の要旨とするところは、前輪及び後輪と、該前輪及び後輪を支持する本体フレーム部とを有する車椅子に装着されるものであって、前記車椅子に着脱自在に取り付けられるレールと、該レールに沿って移動可能な座面部とを備え、前記レールが、ベッドと前記車椅子に架け渡される一の状態と、縮められた状態、折られた状態、分割された状態から選択される他の状態と、をとり得て、前記一の状態において前記座面部が前記レールに沿って移動するスライド座椅子であることにある。
【００１１】
前記レールは、前記レールが固定されるベース基盤を介して前記車椅子に係止され得る。
【００１２】
前記ベース基盤は不使用時に折り畳み可能とされ得る。
【００１３】
前記レールは該レールに案内されて移動する案内部材を介して前記座面部に係合され得る。
【００１４】
前記座面部は、前記レールに案内されて走行する基板と、該基板に座面と直交する軸心の回りに回動可能に支持される座面盤とを備え得る。
【００１５】
前記スライド座椅子は選択的に使用される互いに平行な４本の前記レールを備え得る。
【００１６】
前記レールは複数の要素レールを組み立てて成り得る。
【００１７】
また、本発明の要旨とするところは、前記スライド座椅子を車椅子に装着し、該車椅子との間に前記レールを架け渡すベッドであって、マットと該マットを載置するベッド基盤を備え、該レールの先端部を進入させる切欠き部が該マットの側部に形成され、該切欠き部に着脱自在に補填される補填部材を備えるベッド移行機能付きベッドあることにある。
【００１８】
さらに、本発明の要旨とするところは、前記スライド座椅子を装着可能な車椅子に取り付けられる伸縮自在なアームを含んでなり、該アームに略直角に折れ曲がる折り曲がり部が可逆的に形成可能であり、該折り曲がり部を折り曲がった状態に保持する保持手段を備えた車椅子用補助アームあることにある。
【発明の効果】
【００１９】
本発明によると、車椅子に装着して車椅子の搭乗者がベッドへ容易に移行できるようにしたスライド座椅子が提供される。
【００２０】
本発明によると、車椅子に装着して車椅子の搭乗者がベッドサイドの限られた空間のもとでベッドへ容易に移行できるようにしたスライド座椅子が提供される。
【００２１】
本発明によると、複雑かつ大型の機構の車椅子を用いることなく、搭乗者がベッドへ容易に移行できる。
【００２２】
本発明のスライド座椅子は車椅子から取り外したあとにコンパクトな形態に変形することができ、不使用時の収納に場所をとらず、不使用時の運搬が容易である。
【００２３】
本発明のスライド座椅子は本発明のベッド移行機能付きベッドを併用することにより、搭乗者がベッドへさらに容易に移行できる。
【発明を実施するための最良の形態】
【００２４】
本発明の実施形態について、図面を使用して説明する。なお、本明細書においては、各図にわたって記される同じ符号は同一又は同様の部材やものを示す。図１に示すように、本発明の態様の一例において、本発明のスライド座椅子４００は車椅子４０２に装着されてベッド移行機能付き車椅子２として用いられる。車椅子４０２は、前輪４及び後輪６、本体フレーム部２０と本体フレーム部２０の前方下部に装着されるフットレスト５５を備える。
【００２５】
車椅子４０２を用いたベッド移行機能付き車椅子２は、サイドフレーム部１０間に配設されるとともに本体フレーム部２０にレール３２６を介して支承される座席部１６を備える。座席部１６とレール３２６とレール３２６が固定されたベース基盤３５０とで本発明のスライド座椅子４００が構成される。
【００２６】
座席部１６は座面の面方向に回動自在な座面盤１８と、座面盤１８を回動自在に支える基板２２と、基板２２に設けられた被支承部３２４とから構成される。レール３２６は被支承部３２４を走行可能に支承する。被支承部３２４はレール３２６上を転動して走行する車輪あるいはレール３２６上を摺動するスライダから構成される。レール３２６は図２に示すように、複数の筒状の要素レール３２７がテレスコープ状にいれこ状に連結されて伸縮自在とされており、最も縮んだ状態ではレール３２６の根元部となる基礎レール３２８に他の要素レールがいれこ状に収納されている。あるいは、他の要素レールが分解されて車椅子に設けられた不図示の収納場所に収納されてもよい。基礎レール３２８は、ベース基盤３５０に固定される。従ってレール３２６がベース基盤３５０に固定される。ベース基盤３５０は本体フレーム部２０に架け渡されて結合される。
【００２７】
さらには、基礎レール３２８が直接本体フレーム２０に係止されてもよい。この場合レール２６と座席部１６とで本発明のスライド座椅子４００が構成される。ベース基盤３５０あるいは基礎レール３２８は本体フレーム２０にかぎらず車椅子４０２の部材に直接あるいは所定の中間部材を介して固定あるいは係合されればよい。
【００２８】
本発明においては、複数の要素レールが関節機構を介して互いに折れ曲がり可能に連結されたレールが用いられてもよい。この場合、不使用時にはレールが折り畳まれる。
【００２９】
図３に基礎レール３２８がベース基盤３５０に固定された状態を示す。ベース基盤３５０には係合部材３５２からなる係合部３５３が備えられ、係合部３５３を介してベース基盤３５０が、従ってスライド座椅子４００が本体フレーム部２０に着脱自在に装着される。この場合、ベース基盤３５０が中央で固定されたレールの長手方向が折り目方向になるようにヒンジ部３５４で二つ折りできる構成であることが、不使用時にベース基盤を二つ折りしてレールごと所定の場所に収納することができ、収納スペースを節約できて好ましい。レール３２６は一対でベース基盤３５０に固定される。
【００３０】
また、ベース基盤は固定されたレールの長手方向と直交する方向に伸縮可能であることが、各種のサイズの車椅子の幅に合わせてベース基盤を車椅子にフィットさせて装着できて好ましい。
【００３１】
本発明の他の態様においては、図４に示すように、基礎レール３２８は係止部材３４４からなる係止部３４５を介して本体フレーム部２０を構成するフレーム部材３４４に着脱自在に直接係止される。
【００３２】
図５に、レール３２６が真直に延ばされて先端部３４６がベッド５０に載置された状態を示す。人１が、車椅子４０２に着座した状態の向きで座席部１６に載置されていて、座席部１６が人１を載せたまま被支承部３２４を介してレール３２６上を車椅子４０２の前方に向けて走行し、先端部３４６に達する。次いで、図６に示すように、座面盤１８が９０度回転し、人１がベッドの長手方向を向くことになり、この状態で臀部を座席部１６に対してベッドの幅方向に滑らせる動作のみで座席部１６からベッド５０に移動できる。このように、ベッド移行機能付き車椅子２を用いることにより、車椅子４０２からベッドの長手方向を向いた状態に容易に移動が可能となる。
【００３３】
本発明においては、搭乗者が車椅子に着座した状態から直進してベッド上に到達するのでこの移行動作が極めて容易である。又、ベッドサイドの限られた空間のもとで、搭乗者がベッドへ容易に移行できる。更に、一旦ベッド上に移行したのち座面盤１８を９０度回転させて搭乗者の向きをベッドの長手方向に変えることが出来るので、回転にベッドサイドの空間の専用を必要としない。又、この回転動作は搭乗者にとって極めて容易である。
【００３４】
また、本発明においては、このようにレール３２６が、ベッドと本体フレーム部２０に架け渡される一の状態と、複数の要素レール３２７が相互に移動されて複数の要素レール３２７から成る集合体を構成し、集合体の長さがこの一の状態のレール３２６より短くされて本体フレーム部２０に取り付けられた状態である他の状態とをとり得る。
【００３５】
本発明の別の態様においては、要素レールの一部として軸方向に略弧状あるいは略くの字状に曲った筒体から成る要素レールが用いられてもよい。曲った要素レールを要素レールの一部として用いることにより、長手方向に略弧状に曲ったレールを得る。この長手方向に略弧状に曲ったレールを用いて、ベッドの前後方向と車椅子の前後方向とが斜向あるいは平行する配置であっても、座席部１６をレール上に走行させて、車椅子の前方に向けて走行を開始し、ベッドへの到達はベッドの長手方向に直交して直進する状態で行なわれるので移動が容易に出来る。又、ベッドサイドに車椅子を設置しておくための過大なスペースを要しない。
【００３６】
図７に要素レールレール３２７の断面形状の例を示す。図７（ａ）に示す要素レール３２７の断面形状は矩形であるが、円形や楕円形であってもよい。多角形であってもよい。あるいはこれらの形状が複合された形状であってもよい。要素レール３２７の断面形状は、複数の要素レールをいれこ状に嵌めて重ねることができるものであれば特に限定されずコの字形、Ｃ字形あるいはΩ字形であってもよい。
【００３７】
図７（ｂ）に示すように、要素レール３２７の周壁には補強リブ３２９を形成する長手方向曲げ折り筋が形成されてもよい。図７（ｃ）、図７（ｄ）に示すように、要素レール３２７の周壁に長手方向にスリット３３１が形成されていてもよい。
【００３８】
図８に座席部１６の構成の一例を示す。座席部１６は、基板２２にスラストベアリング２７を介して軸着する座面盤１８と、基板２２に軸２５を介して軸着する車輪２４とから構成される。座面盤１８は基礎板３３と基礎板３３の上面に重畳され固定されたクッション部４５とから構成される。
【００３９】
図９は基板２２と車輪２４との軸着の状態を示す拡大模式図である。基板２２に切り欠き開口部５２が形成され、切り欠き開口部５２の内側に車輪２４が配された状態で基板２２と車輪２４とが軸着する。車輪２４には両端それぞれにフランジ５４が設けられ、図１０に示すように、車輪２４がレール３２６からはずれないように走行を規制する。
【００４０】
ｘ７に座席部の構成の他の一例を示す。図１１において、座席部１６ａは下面に被支承部３２４を備えて上面に円形の窪み１０１が形成された基板２２ａと、窪み１０１に遊嵌する円盤状の座面盤１８ａ５とを含んで構成される。座面盤１８ａの下面と窪み１０１の底面との間には両者の間のまさつ摩擦力を軽減する摩擦軽減手段１０３が備えられている。摩擦軽減手段１０３は、ポリフルオロエチレンのようなフッ素系樹脂のシートや低圧ポリエチレンやポリアミド系樹脂のビーズであってもよい。あるいは、多数の鋼球を回転自在に基板２２ａの上面に一部を露出させて埋め込んだものであってもよい。
【００４１】
基板２２ａや座面盤１８ａはそれらを面方向に２分する境界１０５で着脱自在に分割されていてもよい。これにより、不使用時に分割して運搬や収納ができる。
【００４２】
図１２に基板２２ａが案内部材３４０ａ（あるいは３４０ｂ、３４０ｃ）を介して要素レール３２７（レール３２６）に係合された状態を示す。案内部材はレール３２６に案内されてレール３２６に沿って移動する。これにより基板２２ａが図８、図９に示すような車輪２４のかわりに案内部材に案内されてレール３２６に沿って走行する。
【００４３】
図１３に案内部材のさらに他の態様の一例を示す。案内部材３４０ｄは、要素レール３２７（レール３２６）の中空部に位置して要素レール３２７に係合している。案内部材３４０ｄは、基板２２ａに上端部１１１で固定され、下端部に円筒状の車輪１０９が、要素レール３２７の中空部の内壁を要素レール３２７の長手方向に転動可能に、軸着部１１３で軸着している。
【００４４】
図１２、図１３に示す態様においては、基板２２ａを、レール３２６に案内部材を介して係合された状態で車椅子から着脱自在に取り外しが可能である。
【００４５】
又、本発明のスライド座椅子は、座面部に取り付けられて選択的に使用される互いに平行な４本の伸縮自在のレールを備えていてもよい。スライド座椅子の使用時には、この４本のレールのなかで、外側のレールのうちの一本が縮められたまま非使用となる。図１４に４本の伸縮自在のレール３２６−１〜４を備えたスライド座椅子４００の使用状態を示す。レール３２６−１〜４はこの順の配列で座面部１６に取り付けられている。なお、座面部１６は、それぞれのレールに対応する被支承部を備える。
【００４６】
図１４において、レール３２６を車椅子４０２からベッド５０へ架け渡して搭載者１が車椅子４０２からベッド５０へ移動する。搭載者１は座席部１６に乗った状態でステージ１（Ｓ１）からステージ５（Ｓ５）の順でレール上を移動する。４本の伸縮自在のレールのうちレール３２６−１が縮められたまま非使用となる。レール３２６−３も縮められたまま非使用であってもよいが、レール３２６−３も含めた３本のレールで座席部１６を支えることがレールの撓みを軽減できて好ましい。
【００４７】
ステージ（１）：座席部１６が車椅子４０２から離れて間もない状態であり、搭載者１は前向きに座席部１６に乗って足を前に伸ばした状態である。なお、前後は車椅子４０２を基準とする方向をいうものとする。
ステージ（２）：搭載者１は体の向きを前向きのまま両足の膝から下の部分をレール３２６−２の傍らに下ろす。レール３２６−１が他のレールと同様に伸ばされているとこの足を下ろす動作の邪魔になるが、レール３２６−１が縮められているのでこの動作が円滑に行なわれる。
ステージ（３）：足を下ろしたまま座面盤を回転させて体を横向きにする。
ステージ（４）：座席部１６がベッド５０の縁に達する。その後両足の膝から下の部分をベッド５０の上に載せる。
ステージ（５）：両足の膝から下の部分をベッド５０の上に載せた状態で座席部１６をレールの終端まで移動させる。ついで体をベッド５０に移す。
【００４８】
このように、レール３２６−１が縮められたままであることにより、ステージ（２）の動作がレール３２６−１に妨げられることがなくなる。
【００４９】
ベッド５０にステージ（５）の状態とは逆向きに下りる場合は４本のレールのうちレール３２６−４が縮められたまま非使用となり、搭載者１は両足の膝から下の部分をレール３２６−３の傍らに下ろすことになる。このとき、レール３２６−２も縮められたまま非使用であってもよい。
【００５０】
このような態様に対応して４本の基礎レール３２８が固定された３５０ベース基盤３５０を図１５に示す。
【００５１】
座席部１６の上面５５とベッドの上面５７とは面一であることが搭載者の座席部１６からベッドへの移行が円滑になるので望ましい。このため、本発明においては、図１６、図１７に示すベッド移行機能付きベッド５０ａのように、スライド座椅子を装着した車椅子４０２におけるレール３２６の先端部１２１を進入させるマット切欠き部３５６がベッド基盤５１の側部に形成されることが好ましい。ベッド基盤５１はマット５３を載置するベース盤である。ベッド移行機能付きベッド５０ａにおいては、マット５３が切欠き部３５６に着脱自在に補填される補填部材３６０を備える。補填部材３６０は車椅子４０２のレール３２６が切欠き部３５６から退出したときに切欠き部３５６に補填される。マット５３と補填部材３６０とはヒンジ部３６２あるいは可撓性部材を介して連結されており、ヒンジ部３６２を支点として補填部材３６０が開閉される。あるいは、補填部材３６０がマット５３から独立しており、切欠き部３５６に嵌め込まれる態様であってもよい。なお、符号５９は、ベッド基盤５１の上面に固定された固定具であり、ベッド基盤５１の上面に載置されたレール３２６の先端部１２１を係合して一時的に固定するものである。符号６３は固定具５９に対応して補填部材３６０に設けられた窪みである。
【００５２】
さらに、本発明においては、図１８に示すようにベッド移行機能付き車椅子２が伸縮性の補助アーム（アーム）３７０を備えてもよい。補助アーム３７０はベッド移行機能付き車椅子２の肘掛け部３７２に係合されて装着される。補助アーム３７０は要素アーム３７０−１、３７０−２、３７０−３、３７０−４がこの順でいれこ構造で連結された構造を有し、縮んだ状態で要素アーム３７０−１や肘掛け部３７２とほぼ同じ長さとなり、最も太い要素アーム３７０−１が肘掛け部３７２に沿って配されて肘掛け部３７２に係合される。
【００５３】
（Ｃ１）の状態では要素アーム３７０−２が要素アーム３７０−１から引き出されて要素アーム３７０−１の先端部から立設する。その他の要素アームは要素アーム３７０−２の中空部に収められている。この（Ｃ１）の状態では立設した要素アーム３７０−２が点滴棒の役目を果たすことができる。
（Ｃ２）の状態では要素アーム３７０−２が要素アーム３７０−１から水平に引き出されかつ要素アーム３７０−３が要素アーム３７０−２から引き出されて要素アーム３７０−２の先端部から垂下し、要素アーム３７０−３の先端が床面５に当接する。この（Ｃ２）の状態では垂下した要素アーム３７０−２は搭載者が立つときの杖の役目を果たす。特に、トイレで使用されると、介護者が搭載者の衣服の操作をする作業が容易になる。
（Ｃ３）の状態では要素アーム３７０−２が要素アーム３７０−１から水平に引き出されかつ要素アーム３７０−３が要素アーム３７０−２から水平に引き出され、要素アーム３７０−４が要素アーム３７０−３から引き出されて要素アーム３７０−３の先端部から垂下し、要素アーム３７０−４の先端がベッド５０の面３８０に当接する。この（Ｃ３）の状態では要素アーム３７０−２、３７０−３が、搭載者が座席部１６に載ってレール３２６上を走行して移動するときの手すりとなる。
【００５４】
補助アーム３７０は左右一対がベッド移行機能付き車椅子２に装着される。
【００５５】
図１９に隣接の四角筒状の要素アーム同士が直角に連結される態様の一例を示す。図１９において、符号３８４はいれこ構造における太い方の要素アーム、符号３８５は細い方の要素アームである。要素アーム３８４の１先端部は上壁と下壁が欠落しており、互いに対面する側壁のみが四角筒状の本体３８６から本体３８６の長手方向に延出して側壁延出部３８８が形成されている。側壁延出部３８８には本体３８６の長手方向と直交する方向に延びる長孔３９０が互いに対面する位置に形成されている。
【００５６】
要素アーム３８５の１先端部には、長孔３９０に出入り自在に遊嵌する移動止め片３９２が不図示の取り付けボックスを介して取り付けられている。取り付けボックスには移動止め片３９２をそとがわに付勢する不図示の付勢手段が内蔵されている。要素アーム３８５が要素アーム３８４の中空部に挿入されると、移動止め片３９２は、要素アーム３８４の側壁に圧迫されて取り付けボックスのうちがわに向けて引っ込む。移動止め片３９２が折り曲がり部５００を折り曲がった状態に保持する保持手段５０２を構成している。
【００５７】
図２０は要素アーム３８４の形状を示す。図２１は要素アーム３８５の形状を示す。図２１において、符号３９４は取り付けボックスである。
【００５８】
図２２に隣接の四角筒状の要素アーム同士が直角に連結される他の態様の一例を示す。図２２において、要素アーム３８４の１先端部にL字型の角材３９６の一端が挿入され、要素アーム３８５の１先端部に角材３９６の他端が挿入される。一端と他端とは直交している。角材３９６が、折り曲がり部５００aを折り曲がった状態に保持する保持手段５０２aを構成している。
【００５９】
ベッド移行機能付き車椅子２においては、図２３（座席部１６は不図示）に示すように、本体フレーム部２０が底フレーム部１２を支持するように取り付けられた昇降手段６０を備えてもよい。昇降手段６０自身の伸長により、ベッド移行機能付き車椅子２を床面５から浮き上がらせて、床面５と基礎レール３２８との距離を調節することが出来る。これにより、異なる高さのベッドに対して、延ばされたレール３２６を水平にして先端部４６（３）をベッドに載置することが出来る。昇降手段６０は車椅子４０２に取付け部１３１を介して着脱自在に取付けられてもよい。昇降手段６０の態様は特に限定されないが例えばいわゆるシザースリンクの機構を有するものであってよい。
【００６０】
その他、本発明は、主旨を逸脱しない範囲で当業者の知識に基づき種々なる改良、修正、変更を加えた態様で実施できるものである。
【図面の簡単な説明】
【００６１】
【図１】ベッド移行機能付き車椅子における本発明のスライド座椅子の態様を示す一部透視説明図である。
【図２】本発明のスライド座椅子に用いられるレールの構成の一例を示す斜視模式図である。
【図３】レールを固定したベース基盤の一例を示す斜視図であり、図３（ａ）はベース基盤が折り畳まれた状態、図３（ｂ）はベース基盤がフラットになった状態である。
【図４】基礎レール３２８に備えられた係止部の態様の一例を示す断面図である。
【図５】本発明のスライド座椅子を備えたベッド移行機能付き車椅子の使用状態を説明する側面模式図である。
【図６】ベッド移行機能付き車椅子の他の使用状態を説明する側面模式図である。
【図７】本発明のスライド座椅子に用いられるレールの断面図であり、図７（ａ）〜（ｄ）はそれぞれ異なる態様である。
【図８】ベッド移行機能付き車椅子に用いられる座席部の構成の一例を示し、図８（ａ）は側面図、図８（ｂ）は正面図である。
【図９】図８に示す座席部の要部斜視模式図である。
【図１０】図８に示す座席部の要部断面図である。
【図１１】ベッド移行機能付き車椅子に用いられる座席部の構成の他の一例を示し、図８（ａ）は正面図、図８（ｂ）は平面図である。
【図１２】基板が案内部材を介してレールに係合された状態を示す要部断面図であり、図１２（ａ）〜（ｃ）はそれぞれ異なる態様である。
【図１３】基板が案内部材を介してレールに係合された状態を示す他の態様の要部断面図である。
【図１４】４本の伸縮自在のレールを備えたスライド座椅子の使用状態を示す説明図であり、図１４（ａ）は側面図、図８（ｂ）は平面図である。
【図１５】レールを固定したベース基盤の他の態様の一例を示す斜視図であり、図３（ａ）はベース基盤が折り畳まれた状態、図３（ｂ）はベース基盤がフラットになった状態である。
【図１６】レールを進入させる切欠き部が形成されたベッド移行機能付きベッドの態様を示す側面説明図である。
【図１７】レールを進入させる切欠き部が形成されたベッド移行機能付きベッドの態様を示す要部斜視図である。
【図１８】伸縮性の補助アームを備えたベッド移行機能付き車椅子の態様を示す側面説明図である。
【図１９】隣接の四角筒状の要素アーム同士が直角に連結される折り曲がり部の態様の一例を示す斜視模式図である。
【図２０】図１９における太いほうの要素アームの形状を示し、図２０（ａ）は正面図、図２０（ｂ）は平面図、図２０（ｃ）は側面図である。
【図２１】図１９における細いほうの要素アームの態様を示し、図２１（ａ）は正面図、図２１（ｂ）は平面図、図２１（ｃ）はＧ−Ｇ方向の断面模式図である。
【図２２】隣接の四角筒状の要素アーム同士が直角に連結される折り曲がり部の態様の他の一例を示す正面模式図である。
【図２３】ベッド移行機能付き車椅子に昇降手段が取り付けられた状態の一例を示す側面説明図である。
【符号の説明】
【００６２】
２、２ａ、２ｂ：ベッド移行機能付き車椅子
４：前輪
６：後輪
２０：本体フレーム部
１６、１６ａ：座席部
１８、１８ａ：座面盤
２２、２２ａ：基板
２４：車輪
３２６：レール
３２８：基礎レール
３３４：要素レール
５０：ベッド
５３：マット
６０：昇降手段
９０：要素レール
４００、４００a、４００ｂ：スライド座椅子
４０２：車椅子
３５０：ベース基盤
３４０ａ、３４０ｂ、３４０ｃ、３４０ｄ：案内部材
３５６切欠き部
３６０補填部材
５０a：ベッド移行機能付きベッド
５００：折り曲がり部
５０２：保持手段
３７０：補助アーム（アーム）
【図１】
2006263168.tif 000003
【図２】
2006263168.tif 000004
【図３】
2006263168.tif 000005
【図４】
2006263168.tif 000006
【図５】
2006263168.tif 000007
【図６】
2006263168.tif 000008
【図７】
2006263168.tif 000009
【図８】
2006263168.tif 000010
【図９】
2006263168.tif 000011
【図１０】
2006263168.tif 000012
【図１１】
2006263168.tif 000013
【図１２】
2006263168.tif 000014
【図１３】
2006263168.tif 000015
【図１４】
2006263168.tif 000016
【図１５】
2006263168.tif 000017
【図１６】
2006263168.tif 000018
【図１７】
2006263168.tif 000019
【図１８】
2006263168.tif 000020
【図１９】
2006263168.tif 000021
【図２０】
2006263168.tif 000022
【図２１】
2006263168.tif 000023
【図２２】
2006263168.tif 000024
【図２３】
2006263168.tif 000025